(57)【特許請求の範囲】
【請求項１】
複数のポートにそれぞれ接続される光ファイバの余長収容装置であって、
ベースと、
このベース上において、前記光ファイバの収容形状に沿って複数箇所に設けられ前記光ファイバを保持する保持部材と、
前記保持部材と対応する位置にそれぞれ穿設され対応する保持部材を挿通するための穴を有するプレートとを含み、
前記保持部材に保持された光ファイバを、各ポート毎に前記プレートにより仕切って積層構造とし、
この積層構造を着脱自在な固定用バンドで締付け固定してなり、最上位のプレートから任意のプレートまでを束ねて取出し可能としたことを特徴とする装置。
【請求項２】
前記プレートの各々は、中央付近に前記固定用バンドを通すための穴を有し、この穴に前記固定用バンドを通して前記積層構造をくくって固定するようにしたことを特徴とする請求項１記載の装置。
【請求項３】
複数のポートにそれぞれ接続される光ファイバの余長収容装置への収容方法であって、
前記光ファイバの収容形状に沿って複数箇所に設けられ前記光ファイバを保持する保持部材を取付けたベースと、前記保持部材と対応する位置にそれぞれ穿設され対応する保持部材を挿通するための穴を有する複数のプレートとを、予め準備しておき、
第一ポートの光ファイバを前記保持部材に保持し、
前記第一ポートの光ファイバを第一のプレートにより覆い、
その上において第二ポートの光ファイバを前記保持部材に保持し、
前記第二ポートの光ファイバを第二のプレートにより覆い、
前記光ファイバの保持と前記プレートによる覆いとを、ポート毎に順次繰り返して、積層構造を得、
前記積層構造を着脱自在な固定用バンドで締付け固定してなり、最上位のプレートから任意のプレートまでを束ねて取出し可能としたことを特徴とする方法。
【請求項４】
余長収容装置から特定ポートの光ファイバを撤去する光ファイバ撤去方法であって、
請求項１記載の装置における光ファイバ収容状態から、撤去すべき前記特定ポートの光ファイバより上層のプレート及び光ファイバを前記固定用バンドでくくり直し、
このくくり直した前記プレート及び光ファイバの積層構造を前記保持部材から取出し、
前記特定ポートの光ファイバを撤去して、前記くくり直した積層構造を、前記装置に収容することを特徴とする方法。
【発明の詳細な説明】
【技術分野】
【０００１】
本発明は光ファイバ余長収容装置及び収容方法並びに光ファイバ撤去方法に関し、特に光伝送システムに用いられる中継装置や端局装置などにおいて、複数のポートにそれぞれ接続される光ファイバケーブルの余長を収容するための余長収容装置及び収容方法並びに光ファイバ撤去方法に関するものである。
【背景技術】
【０００２】
今までは、光ファイバは基幹系のネットワークに主に用いられていたために、一度接続配線が完了すると、光ファイバを撤去することはあまり必要がなかった。しかしながら、最近においては、ＦＴＴＨ（Fiber to the home ）網の普及に起因して、アクセス系のネットワーク系が急速に光通信系に移行しており、光ファイバの増設や減設の頻度が高まってきている。それに伴って、光ファイバを収容する装置に対して、特定の光ファイバを撤去できるような構造が要求されている。
【０００３】
光伝送システムにおける中継装置や端局において、光ファイバの余長部分を巻き取って収容する光ファイバ余長収容装置が用いられるが、この余長収容装置においても、上記要求を満足することが望まれている。
【０００４】
ここで、本発明に関連する光ファイバ余長収容装置の一例として、特許文献１に開示の装置がある。この特許文献１の余長処理装置は、光ファイバケーブルを保持するケーブルホルダと、このケーブルホルダと嵌合し光ファイバケーブルを巻付ける補助板とを有し、この補助板が光ファイバケーブルの規定最小曲率半径を確保したほぼ円形状となっている。この特許文献１の装置では、すべてのポートの光ファイバをケーブルホルダにまとめて収容するようになっている。
【０００５】
【特許文献１】特開平１１−１５３７１５号公報
【発明の開示】
【発明が解決しようとする課題】
【０００６】
特許文献１の光ファイバ余長処理装置では、全てのポートの光ファイバをまとめて収容するものであるから、収容後に特定のポートの光ファイバを取出すためには、全ての光ファイバの配線を取出す必要がある。ポート毎に光ファイバを収容するためには、それぞれのポートに対応して光ファイバ余長処理装置を設ける必要がある。
【０００７】
本発明の目的は、ポート毎に光ファイバを収容してこの光ファイバ収容状態において特定ポートの光ファイバを、極めて簡単な構造で容易に撤去可能とした光ファイバ余長収容装置及び収容方法並びに光ファイバ撤去方法を提供することである。
【課題を解決するための手段】
【０００８】
本発明による光ファイバ余長収容装置は、ベースと、このベース上において、前記光ファイバの収容形状に沿って複数箇所に設けられ前記光ファイバを保持する保持部材と、前記保持部材と対応する位置にそれぞれ穿設され対応する保持部材を挿通するための穴を有するプレートとを含み、前記保持部材に保持された光ファイバを、各ポート毎に前記プレートにより仕切って積層構造とし、この積層構造を着脱自在な固定用バンドで締付け固定してなり、最上位のプレートから任意のプレートまでを束ねて取出し可能としたことを特徴とする。
【０００９】
本発明による光アァイバの余長収容方法は、前記光ファイバの収容形状に沿って複数箇所に設けられ前記光ファイバを保持する保持部材を取付けたベースと、前記保持部材と対応する位置にそれぞれ穿設され対応する保持部材を挿通するための穴を有する複数のプレートとを、予め準備しておき、第一ポートの光ファイバを前記保持部材に保持し、前記第一ポートの光ファイバを第一のプレートにより覆い、その上において第二ポートの光ファイバを前記保持部材に保持し、前記第二ポートの光ファイバを第二のプレートにより覆い、前記光ファイバの保持と前記プレートによる覆いとを、ポート毎に順次繰り返して、積層構造を得、前記積層構造を着脱自在な固定用バンドで締付け固定なり、最上位のプレートから任意のプレートまでを束ねて取出し可能としたことを特徴とする。
【００１０】
本発明による光ファイバ撤去方法は、余長収容装置から特定ポートの光ファイバを撤去する光ファイバ撤去方法であって、上記の余長収容装置において得られた光ファイバ収容状態から、撤去すべき前記特定ポートの光ファイバより上層のプレート及び光ファイバを前記固定用バンドでくくり直し、このくくり直した前記プレート及び光ファイバの積層構造を前記保持部材から取出し、前記特定ポートの光ファイバを撤去して、前記くくり直した積層構造を、前記装置に収容することを特徴とする。
【発明の効果】
【００１１】
本発明によれば、ベース上の複数の保持部材に保持された各ポートの光ファイバを、ポート毎に仕切り板で区切って積層状態とし、これをバンドにより固定するようにしたので、構造が極めて簡単になり、また特定ポートの光ファイバの撤去作業も極めて容易になるという効果がある。
【発明を実施するための最良の形態】
【００１２】
以下に本発明の実施の形態について図面を用いて詳細に説明する。図１は本発明の実施の形態を示す平面図であり、図２は図１のＡ−Ａ線に沿う断面図、図３は図１のＢ−Ｂ線に沿う断面図である。また、図４は図１〜図３に示した余長処理ベース１の平面図であり、図５は図４の側面図である。更に、図６は図１〜図３に示した仕切りプレート２（２ａ〜２ｄ）の平面図である。これら各図において、同等部分には同一符号をもって示している。
【００１３】
図１〜図６を参照すると、余長処理ベース１上において、光ファイバ５を保持するためのクランプ（保持部材）１１ａ〜１１ｄを、光ファイバ配線（収容）形状４に沿って、複数箇所に固定する。本例では、図１に示す如く、この配線形状４はほぼ円形であり、クランプ１１ａ〜１１ｄをこの円形に沿ってほぼ等間隔をもって４箇所に固定している。
【００１４】
なお、このクランプ１１ａ〜１１ｄは、図５に示す如く、Ｍ字状の側面形状を有しており、このＭ字状の上部の２つの腕部（一対の上腕部）が弾性変形によって開閉自在となっている。従って、この開閉自在な一対の上腕部から光ファイバを挿抜できるものである。この様なクランプは汎用の市販のものを用いることができる。
【００１５】
仕切りプレート２は、各ポート毎の光ファイバを仕切るための部材であり、図６にその平面図を示す如く、光ファイバ配線形状４に概略対応した形状を有しており、本例では、この配線形状４の円を内接するほぼ８角形となっているが、これに限定されるものではない。仕切りプレート２は、余長処理ベース１の４つのクランプ１１ａ〜１１ｄに対応する位置に穿設されたクランプ逃げ穴２１ａ，２１ｂ及び２２ａ，２２ｂ，２２ｄ，２２ｅを有している。
【００１６】
これらクランプ逃げ穴を、余長処理ベース１の各クランプ１１ａ〜１１ｄに挿通し嵌合させることにより、複数枚の仕切りプレート２ａ〜２ｄを、この余長処理ベース１上に積層することが可能である。なお、クランプ逃げ穴２２ａと２２ｂとの間には、クランプ抜止めとして機能するクランプ抜止め２３ａが存在し、またクランプ逃げ穴２２ｄと２２ｅとの間には、同じく、クランプ抜止めとして機能するクランプ抜止め２３ｂが存在するものとする。
【００１７】
仕切りプレート２は、更に、その中央部に、固定用バンド通し穴２４を有している。光ファイバ５と仕切りプレート２ａ〜２ｄとを交互に積層した状態において、図１や図３に示す固定用バンド３ａ，３ｂを、この通し穴に挿通する。そして、この通し穴２４の周囲の適当な２ヶ所に設けられている固定用バンド締付け用切欠き２５ａ，２５ｂの位置で、固定用バンド３ａ，３ｂを、図３に示す如く、それぞれ締付ける。こうすることにより、光ファイバと仕切りプレートとを交互に積層した状態で、配線形状を保持しつつまとめて固定できるようになっている。
【００１８】
次に、図１〜図３に示した本発明の実施の形態による光ファイバ余長収容装置の組立て手順について説明する。先ず、図５及び図４に示した余長処理ベース１の４つのクランプ１１ａ〜１１ｄに、第１ポートの光ファイバ５を光ファイバ配線形状４（図１参照）に沿いつつ収容する。その後、第１の仕切りプレート２ａを、この第１ポートの光ファイバ上に覆い被せることになる。そのときの様子を、図７及び図８に示している。
【００１９】
図７は、仕切りプレート２とクランプ１１ａとの関係を示しているが、仕切りプレート２とクランプ１１ｂとの関係についても図７と同様である。また、図８は、仕切りプレート２とクランプ１１ｃとの関係を示しているが、仕切りプレート２とクランプ１１ｄとの関係についても同様である。
【００２０】
仕切りプレート２を光ファイバ上に覆い被せる場合には、仕切りプレート２のクランプ逃げ穴２１ａ，２１ｂ及び２２ａ，２２ｂ，２２ｄ，２２ｅを、それぞれ対応するクランプに合わせて上面から押し込む。このときの様子を、図７及び図８の上から下２番目までに断面として示している。
【００２１】
特に、クランプ逃げ穴２２ａと２２ｂとの間には、クランプ抜止め２３ａが存在しているために、図８の下２番目に示す如く、クランプ１１ｃの一対の上腕部が弾性変形して、クランプ抜止め２３ａにより押し下げられる。更に、仕切りプレート２が下へ押されると、クランプ１１ｃの一対の上腕部は弾性復帰して、図８の最下部に示す如くなり、仕切りプレート２のクランプ抜止め２３ａと当接して、クランプ抜止めが可能となるのである。なお、クランプ抜止め２３ｂと仕切りプレート２との関係についても同様となっている。
【００２２】
こうして、第一ポートの光ファイバ上に第一層の仕切りプレート２ａが覆い被さると、次に、この仕切りプレート２ａ上に、第二ポートの光ファイバを収容する。そして、第二層の仕切りプレート２ｂを覆い被せる。こうして、各ポート毎の光ファイバと仕切りプレートとを、順に積層するのである。
【００２３】
最後に、仕切りプレート２（４層の場合は、２ａ〜２ｄ）の中央の固定用バンド通し穴２４に、固定用バンド３ａ，３ｂを通して、これら固定用バンド３ａ，３ｂを固定用バンド締付け用切欠き２５ａ，２５ｂの部分で、強固に締付ける。こうして、図１及び図３に示す如く、積層状態の光ファイバと仕切りプレートとのアセンブリを固定することになる。
【００２４】
特定ポートの光ファイバを撤去する必要が生じた場合には、固定用バンド２５ａ，２５ｂを外して、撤去対象の光ファイバ直上に覆い被されている仕切りプレートよりも上層の光ファイバ及び仕切りプレートの群を、固定用バンドでくくり直す。
【００２５】
この状態を図９に示している。図９において、（Ａ）は図１と同様な装置平面図であり、（Ｂ）はそのＣ−Ｃ線断面図である。本図では、最下層の光ファイバ５（Ｅ部として示す）を撤去する場合の例を示している。固定用バンド３ａ，３ｂにより、Ｅ部よりも上層のＤ部として示す光ファイバ及び仕切りプレートの群を、くくり直したものである。
【００２６】
固定用バンドをくくり直す場合には、先ず、固定用バンドの締付けを解除し、プレート２ｂを上に持ち上げる。このとき、図２に示した様に、最上位プレート２ｄの上部に十分な隙間があれば、この隙間の分だけプレート２ｂは持ち上げられるので、このとき生じたプレート２ｂの下部の隙間に、固定用バンドを通して、図９（Ｂ）のＤ部のようにくくり直す。
【００２７】
最上位プレート２ｄの上部に十分な隙間がない場合には、この最上位プレート２ｄを上に持ち上げれば、このプレートがクランプ１１ｃ，１１ｄの弾性上腕部と当接し、その結果、この上腕部が弾性変形することにより、プレート２ｂの下部の隙間をより大きくすることができる。よって、この大きくなった隙間に固定用バンドを通して、図９（Ｂ）のＤ部のようにくくり直すことができる。
【００２８】
固定用バンド３ａ，３ｂでくくり直した状態のまま、すなわち、配線状態を保持したままで、固定用バンドを含めて光ファイバ及びプレートをクランプから取出す。その後、撤去対象の光ファイバ（Ｅ部）を取外し、再び、先に取出していた積層状態の光ファイバと仕切りプレートの群（Ｄ部）を、そのままの状態でクランプに収容するのである。
【００２９】
上記の実施の形態では、各ポートの光ファイバの収容量は全て等しいものとして示しているが、各ポート毎に光ファイバの収容量が異なる場合には、図１０に示しているように、仕切りプレートの間隔を光ファイバの収容量に合わせて調整することにより、柔軟な対応が容易となる。
【００３０】
なお、上記実施の形態においては、光ファイバ配線（収容）形状４を円形としているが、これに限定されるものではなく、また、クランプ１１ａ〜１１ｄの数も４個としているが、収容する光ファイバのクランプが十分に可能であれば、それ以上でもそれ以下でも良い。更に、固定用バンド３ａ，３ｂとしては締付けが強固にでき、またこの締付け解除が容易にできるものであれば良く、好ましくは、市販のマジックテープ（登録商標）を用いるのが良い。
【００３１】
以上述べたように、本発明によれば、以下の利点がある。光ファイバと仕切りプレートとを交互に積層させる構造とすることにより、特定ポートの光ファイバの撤去が容易となる。また、各仕切りプレートの間隔を自由に調整できるので、各ポート毎に光ファイバの収容量が異なった場合にも柔軟に対応ができることになる。
【００３２】
更に、クランプとして汎用のクランプを用いることができ、また、仕切りプレートとして簡易な抜き型による加工を施した樹脂性シート材のプレートを用いることができ、よって、用途に応じた収容形状を安価に実現できることになる。
【００３３】
更にはまた、特定ポートの光ファイバの撤去時には、この特定ポートより上層のポートの光ファイバについて、その配線状態を維持したままの状態で取出し、撤去対象の光ファイバを撤去した後に、取出したままの状態で、元に戻すことができ、撤去、復元作業が極めて容易となる。
【図面の簡単な説明】
【００３４】
【図１】本発明の実施の形態による光ファイバ余長収容装置の平面図である。
【図２】図１のＡ−Ａ線に沿う矢視方向の断面図である。
【図３】図１のＢ−Ｂ線に沿う矢視方向の断面図である。
【図４】図１の余長処理ベースの平面図である。
【図５】図１の余長処理ベースの側面図である。
【図６】図１の仕切りプレートの平面図である。
【図７】余長処理ベース１のクランプ１１ａへ仕切りプレート２を嵌合する際の両者の関係を示す図である。
【図８】余長処理ベース１のクランプ１１ｃへ仕切りプレート２を嵌合する際の両者の関係を示す図である。
【図９】図１の状態からＥ部の光ファイバ５を撤去する際の動作を説明する図であり、（Ａ）は光ファイバ余長処理装置の平面図、（Ｂ）はそのＣ−Ｃ線に沿う矢視方向断面図である。
【図１０】本発明の実施の形態における光ファイバの他の収容例を示す一部側面図である。
【符号の説明】
【００３５】
１  余長処理ベース
２，２ａ〜２ｄ  仕切りプレート
３ａ，３ｂ  固定用バンド
４  光ファイバ配線形状
５  光ファイバ
１１ａ〜１１ｄ  クランプ
２１ａ，２１ｂ，２２ａ，２２ｂ
２２ｄ，２２ｅ  クランプ逃げ穴
２３ａ，２３ｂ  クランプ抜止め
２４  固定用バンド用通し穴
２５ａ，２５ｂ  固定用バンド締付け用切欠き
【図１】
0005104407.tif 000002
【図２】
0005104407.tif 000003
【図３】
0005104407.tif 000004
【図４】
0005104407.tif 000005
【図５】
0005104407.tif 000006
【図６】
0005104407.tif 000007
【図７】
0005104407.tif 000008
【図８】
0005104407.tif 000009
【図９】
0005104407.tif 000010
【図１０】
0005104407.tif 000011